(57)【要約】【課題】ポンプ形状を大型化することなく、異物がポンプハウジング内の内周面と同内周面に摺接するアウターロータの外周面の間に侵入することを原因とする異常な磨耗の発生および焼き付き発生を抑制した内接型ギアポンプを提供する。【解決手段】ポンプハウジング３の内周面２４には外周方向に沿って円環状の凹溝２５が形成されている。従って、ポンプハウジング３の内周面２４とアウターロータ２２の外周面２３との隙間に侵入した異物のうちこの凹溝２５に侵入した異物は再びポンプハウジング３の内周面２４とアウターロータ２２の外周面２３との摺接部分に戻ることなく、凹溝２５内に留まる。【選択図】図１
2009138528.tif 000002
【特許請求の範囲】
【請求項１】
略有底円筒状のポンプハウジングと、
短円筒状であって内周面に内歯を有するとともに、外周面が前記ポンプハウジングの内周面に摺接するアウターロータと、
短円柱状であって外周面に外歯を有するとともに、該外歯は前記アウターロータの前記内歯に噛合するインナーロータとを備える内接型ギアポンプにおいて、
前記ポンプハウジングの内周面および前記アウターロータの外周面の摺接部分に侵入した異物を補足して収容する異物収容部を設けたことを特徴とする内接型ギアポンプ。
【請求項２】
前記異物収容部は、前記ポンプハウジングの内周面において該内周面の円周方向に沿って設けられた円環状の凹溝であることを特徴とする請求項１に記載の内接型ギアポンプ。
【請求項３】
前記異物収容部は、前記ポンプハウジングの内周面において該ポンプハウジングの中心軸方向に設けられた直線状の凹溝であることを特徴とする請求項１に記載の内接型ギアポンプ。
【発明の詳細な説明】
【技術分野】
【０００１】
本発明は、内接型ギアポンプに関し、吸引した異物による磨耗や焼きつきを抑制した内接型ギアポンプに関する。
【背景技術】
【０００２】
一般に、比較的粘度の高いオイルを循環するオイルポンプとして内接型ギアポンプが広く使用されている。この内接型ギアポンプのオイル吸入側には、異物除去用のフィルターが設けられることが通常であるが、このようなフィルターを設けた場合であっても、ポンプ室内への、フィルターの最大ポア径以下の異物の流入を完全に防止すことは困難である。特に、異物が、ポンプハウジングの内周面と同内周面に摺接するアウターロータの外周面の間に侵入すると、異物を容易に排除することができず、異物が、ポンプハウジングの内周面およびアウターロータの外周面を磨耗し続けるという問題があった。従って、ポンプハウジングおよびアウターロータに異常な磨耗が発生し、また、焼き付きが生じることもあった。
【０００３】
そこで、これらの不都合を回避すべく、ポンプハウジングの内周面と同内周面に摺接するアウターロータの外周面の間に侵入した異物を排除する技術が提案されている。より具体的には、アウターロータの外周面に外歯を有する形式の内接型ギアポンプにおいて、別置きの第２の外部ロータを追加し、アウターロータの外歯間に入り込んだ異物を吸入通路側に押し出すことにより除去する技術が提示されている（例えば特許文献１）。
【特許文献１】特開平１１−２４７７６５号公報
【発明の開示】
【発明が解決しようとする課題】
【０００４】
しかし、特許文献１に示した技術は別置きの第２の外部ロータを追加することによりポンプ規模が大きくなる。また、アウターロータの外周面に外歯を有する形式の内接型ギアポンプにしか適用することができない。従って、アウターロータの外周面に外歯を有しない形式の内接型ギアポンプにおいて、上記特許文献１に記載の技術を適用した場合であっても、依然として、上記不都合を回避することは困難であった。
【０００５】
そこで、本発明は、上述の問題に鑑みて成されたものであり、アウターロータの外周面に外歯を有しない形式の内接型ギアポンプに適用でき、ポンプ形状を大型化することなく、異物がポンプハウジング内の内周面と同内周面に摺接するアウターロータの外周面の間に侵入することを原因とする異常な磨耗の発生および焼き付き発生を抑制した内接型ギアポンプを提供することにある。
【課題を解決するための手段】
【０００６】
本発明にかかる内接型ギアポンプは、略有底円筒状のポンプハウジングと、短円筒状であって内周面に内歯を有するとともに、外周面が前記ポンプハウジングの内周面に摺接するアウターロータと、短円柱状であって外周面に外歯を有するとともに、該外歯は前記アウターロータの前記内歯に噛合するインナーロータとを備える内接型ギアポンプである。また、前記ポンプハウジングの内周面および前記アウターロータの外周面の摺接部分に侵入した異物を溜める異物収容部を設けた。
【０００７】
上記構成によると、ポンプハウジングの内周面とアウターロータの外周面との摺接部分に侵入した異物を溜める異物収容部を設けたため、ポンプハウジングの内周面およびアウターロータの外周面の摺接部分に侵入した異物を異物収容部に補足し収容することができる。従って、ポンプハウジングの内周面およびアウターロータの外周面が、異物により破損されることを抑制し、異物の侵入を原因とする異常な磨耗の発生および焼き付き発生を抑制できる。異物の侵入のために特段の部品を追加する必要がないため、ポンプ形状が大型化することもない。
【０００８】
本発明にかかる内接型ギアポンプの異物収容部は、前記ポンプハウジングの内周面に円周方向に沿って設けられた円環状の凹溝であることが好ましい。上記構成によると、異物収容部は、ポンプハウジングの内周面に円周方向に沿って設けられた円環状の凹溝であるため、鋳造、研削等により、容易に構成することができる。また、ポンプハウジングの内周面とアウターロータの外周面との摺接部分に侵入した異物が軸方向に移動した場合に容易に異物収容部に捕捉できる。
【０００９】
本発明にかかる内接型ギアポンプの異物収容部は、ポンプハウジングの内周面に中心軸方向に設けられた直線状の凹溝であることが好ましい。上記構成によると、異物収容部は、ポンプハウジングの内周面に中心軸方向に設けられた直線状の凹溝であるため、鋳造、研削等により、容易に構成することができる。また、ポンプハウジングの内周面とアウターロータの外周面との摺接部分に侵入した異物が円周方向に移動した場合に容易に異物収容部に捕捉することができる。
【発明の効果】
【００１０】
本発明によれば、ポンプ形状を大型化することなく、異物がポンプハウジング内の内周面と同内周面に摺接するアウターロータの外周面の間に侵入することを原因とする異常な磨耗の発生および焼き付き発生を抑制した内接型ギアポンプを提供できる。
【発明を実施するための最良の形態】
【００１１】
本発明を具体化した内接歯車方式のオイルポンプの１実施形態を、図１を参照して、以下に説明する。
【００１２】
本実施形態にかかる内接歯車方式のオイルポンプのハウジング１は有底略円筒状のモータハウジング２を有底略円筒状のポンプハウジング３の底部により封じた形状を有している。モータハウジング２の内周面４には、電磁力を発生するステータ５が圧入、接着、ねじ止め等の方法により固定されている。また、モータハウジング２の略円盤状の底部４１の内面４２には円筒状の突出部６が設けられ、同突出部６の内周面６ａには、すき間嵌め、しまり嵌めなどにより転がり軸受７が固定されている。更に、この転がり軸受７により、回転軸８の一方の端部である後部端９が支承されている。回転軸８の長手方向中央部の外周面には、永久磁石であるロータ１０が上記ステータ５と対向するように固定されている。
【００１３】
一方、ポンプハウジング３は有底略円筒状であり、ポンプハウジング３の円盤状の底部１１により、モータハウジング２の開口部が封じられている。底部１１の外面１１ａには、円筒状の突出部１２が設けられ、同突出部１２の内周面１２ａにはすき間嵌め、しまり嵌めなどにより転がり軸受１３が固定されている。更に、この転がり軸受１３により回転軸８の一方の端部である前部端１４が支承されている。また、ポンプハウジング３の底部１１の中央には、貫通孔１５が設けられており、この貫通孔１５により、回転軸８の前部端１４がポンプハウジング３の内側に向けて突出している。
【００１４】
ポンプハウジング３の内側に向けて突出した回転軸８の前部端１４には、中心部に貫通孔２１を有する略短円柱状のインナーロータ２０が外嵌されているため、このインナーロータ２０は回転軸８の回転に伴い、回転する。このインナーロータ２０の外周面には外歯が設けられているとともにこの外歯には、略円環状のアウターロータ２２が有する内歯が噛合している。また、アウターロータ２２の外周面２３は略円筒状のポンプハウジング３の内周面２４に摺接している。ポンプハウジング３の内周面２４には外周方向に沿って円環状の凹溝２５が形成されており、この凹溝２５がアウターロータの外周面の摺接部分に侵入した異物を補足して収容する異物収容部として機能する。
【００１５】
そして、ポンプハウジング３の開口部に略円盤形の蓋３０が固定されることにより、インナーロータ２０およびアウターロータ２２を内部に備えたポンプ室が形成される。また、この蓋３０にはいずれも貫通孔である吸入口３１および吐出口３２が設けられている。
【００１６】
以上の構造を有するオイルポンプに電力が供給されると、ステータ５に電磁力が発生し、永久磁石からなるロータ１０が回転軸８を伴って回転する。このため回転軸８に固定されたインナーロータ２０およびインナーロータ２０に噛合するアウターロータ２２が回転することにより、吸入口３１を介してポンプハウジング内部に潤滑油が吸入され、加圧された後、吐出口３２を介して吐出される。
【００１７】
ここで、本実施形態の内接歯車方式のオイルポンプにおいては、上述のごとく、ポンプハウジング３の内周面２４に円環状の凹溝２５が形成されている。従って、仮に、ポンプハウジング３の内周面２４とアウターロータ２２の外周面２３との間に異物が侵入した場合であっても、侵入した異物が凹溝２５に入り込み、凹溝２５に入り込んだ異物を凹溝２５により補足して収容することが可能となる。従って、一旦、凹溝２５により補足されて収容された異物が、ポンプハウジング３の内周面２４とアウターロータ２２の外周面２３との間に侵入することを抑制できる。その結果上記従来技術とは異なり、侵入した異物に起因する、ポンプハウジング３の内周面２４およびアウターロータ２２の外周面２３の損傷の発生、および、焼き付きの発生を効果的に抑制することが可能になる。
【００１８】
なお、かかる凹溝２５の大きさについては、特に限定はされないが、たくさんの異物を補足する観点から、凹溝２５はできるだけ大きく形成することが好ましい。一方で、ポンプハウジング３の内周面２４は、平軸受としての機能を有するため、凹溝２５を設けることは強度低下の要因となりうる。また、オイルポンプとしての機能面を考慮すると、凹溝２５を設けることはシール性を低下させる要因となりうる。従って、ポンプハウジング３の強度低下が問題とならず、かつポンプハウジング３の内周面２４とアウターロータ２２の外周面の摺接部分のシール性能が問題とならない範囲において、凹溝２５は最大限大きく形成することが好ましい。
【００１９】
上記実施形態の電動オイルポンプによれば、以下のような効果を得ることができる。
【００２０】
（１）記実施形態の電動オイルポンプによれば、ポンプハウジング３の内周面２４と
アウターロータの外周面との摺接部分に侵入した異物を補足して収容する異物収容部を設けたため、ポンプハウジングの内周面およびアウターロータの外周面の摺接部分に侵入した異物を異物収容部に補足し、収容することができる。従って、ポンプハウジングの内周面およびアウターロータの外周面が、異物により破損されることを抑制し、異物の侵入を原因とする異常な磨耗の発生および焼き付き発生を抑制できる。異物の侵入のために特段の部品を追加する必要がないため、ポンプ形状が大型化することもない。
【００２１】
（２）記実施形態の電動オイルポンプによれば、上記異物収容部は、ポンプハウジング３の内周面２４に円周方向に沿って設けられた円環状の凹溝２５であるため、鋳造、研削等により容易に形成することができる。また、ポンプハウジングの内周面とアウターロータの外周面との摺接部分に侵入した異物が軸方向に移動した場合に容易に異物収容部に捕捉できる。
【００２２】
なお、上記実施形態は以下のように変更してもよい。
【００２３】
・上記実施形態においては、ポンプハウジング３の内周面に円周方向に沿って設けられた円環状の凹溝２５を異物収容部として設けているが、他の構成であっても良い。例えば、軸方向に直線状の凹溝を設けても良い。ポンプハウジングの内周面とアウターロータの外周面との摺接部分に侵入した異物が円周方向に移動した場合に容易に異物収容部に捕捉することができる。
【００２４】
・上記実施形態においては、ポンプハウジング３の内周面に円周方向に沿って設けられた円環状の凹溝２５を異物収容部として設けているが、他の構成であっても良い。例えば、円環状の凹溝２５をアウターロータの外周面に設けても良い。かかる形態であっても、異物収容部は、容易に構成することができる。また、ポンプハウジングの内周面とアウターロータの外周面との摺接部分に侵入した異物が軸方向に移動した場合に異物収容部に容易に捕捉することができる。
【００２５】
・上記変形例においては、円環状の凹溝２５をアウターロータの外周面に設けているが、他の構成であっても良い。例えば、軸方向に直線状の凹溝をアウターロータの外周面に設けても良い。かかる形態であっても、異物収容部は、容易に構成することができる。また、ポンプハウジングの内周面とアウターロータの外周面との摺接部分に侵入した異物が円周方向に移動した場合に異物収容部に容易に捕捉することができる。
【００２６】
・上記実施形態および上記変形例においては、異物収容部を１つ設けているが、複数設けてもよい。例えば、図２に示すように、２つの凹溝２５，２５を設けることにより、ポンプハウジングの内周面とアウターロータの外周面との間に入り込んだ異物を一層効率よく凹溝に溜めることができる。従って、ポンプハウジングの内周面およびアウターロータの外周面を、異物が損なうことを一層抑制できる。
【００２７】
次に、上記実施形態及び別例から把握できる技術的思想について、それらの効果とともに以下に追記する。
【００２８】
（ａ）本発明にかかる内接型ギアポンプは前記異物収容部を複数設けることが好ましい。従って、この（ａ）に記載の発明によれば、異物収容部が複数設けられているため、ポンプハウジングの内周面とアウターロータの外周面との間に入り込んだ異物を一層効率よく凹溝に補足し、収容することができる。
【００２９】
（ｂ）本発明にかかる内接型ギアポンプの異物収容部は、前記アウターロータの外周面に円周方向に沿って設けられた円環状の凹溝であることが好ましい。従って、この（ｂ）に記載の発明によれば、異物収容部は、アウターロータの外周面に円周方向に沿って設けられた円環状の凹溝であるため、鋳造、研削等により容易に形成することができる。また、ポンプハウジングの内周面とアウターロータの外周面との摺接部分に侵入した異物が敷く方向に移動した場合に容易に異物収容部に捕捉することができる。
【００３０】
（ｃ）本発明にかかる内接型ギアポンプの異物収容部は、ポンプハウジングの内周面に中心軸方向に設けられた直線状の凹溝であることが好ましい。従って、この（ｃ）に記載の発明によれば、異物収容部は、アウターロータの外周面に中心軸方向に設けられた直線状の凹溝であるため、容易に構成することができる。また、ポンプハウジングの内周面とアウターロータの外周面との摺接部分に侵入した異物が円周方向に移動した場合に容易に異物収容部に捕捉することができる。
【産業上の利用可能性】
【００３１】
本発明は、オイルポンプ等に使用される内接型ギアポンプに適用でき、吸引した異物による磨耗や焼きつきを抑制する技術であるため、産業上広く利用できる。
【図面の簡単な説明】
【００３２】
【図１】本発明にかかる内接型ギアポンプの一実施形態についてその構造を示す軸方向断面図。
【図２】本発明にかかる内接型ギアポンプの別例についてその構造を示す軸方向断面図。
【符号の説明】
【００３３】
１…ハウジング、２…モータハウジング、３…ポンプハウジング、４…内周面、５…ステータ、６…突出部、６ａ…内周面、７…軸受、８…回転軸、９…後部端、１０…ロータ、１１…底部、１１ａ…外面、１２…突出部、１２ａ…内周面、１３…転がり軸受、１４…前部端、１５…貫通孔、２０…インナーロータ、２１…貫通孔、２２…アウターロータ、２３…外周面、２４…内周面、２５…凹溝、３０…蓋、３１…吸入口、３２…吐出口、４１…底部、４２…内面。
【図１】
2009138528.tif 000003
【図２】
2009138528.tif 000004